(57)【要約】      （修正有）【課題】複数の独立した浄化機能装置を集積化することによって、洗浄待ちの物品の全部の浄化を一回にまとめて行うことができ、浄化に時間がかからず、コストが低く、洗浄効果も良い全浄化洗浄装置を提供する。【解決手段】水容器１を含み、更にスプレー装置２、オゾン発生装置３、紫外線装置４及び超音波発生装置５中の少なくとも２つを含み、スプレー装置及びオゾン発生装置がいずれも水容器と連通し、紫外線装置が水容器の内部に対向し、超音波発生装置が水容器の外壁に設置されている。【選択図】図１
0003209137.tif 000002
【実用新案登録請求の範囲】
【請求項１】
水容器を含む全浄化洗浄装置であって、
更にスプレー装置、オゾン発生装置、紫外線装置及び超音波発生装置中の少なくとも２つを含み、
前記スプレー装置及びオゾン発生装置がいずれも前記水容器と連通し、
前記紫外線装置が前記水容器の内部に対向し、
前記超音波発生装置が前記水容器の外壁に設置される
ことを特徴とする全浄化洗浄装置。
【請求項２】
前記スプレー装置はスプレーヘッドと水循環アセンブリを含み、
前記水循環アセンブリが主に４つの通路を有する四方向部材及び加圧水ポンプから構成され、
前記四方向部材が前記４つの通路を介してそれぞれ前記加圧水ポンプの入力端、出力端、給水管及び排水管と連通し、
前記水循環アセンブリが前記水容器の外底部に設置され、
前記スプレーヘッドが前記水容器の内底部に設置され、
前記スプレーヘッドの表面の中央部に複数の出水口が設置され、
前記出水口の周縁に複数の吐水孔が設置され、前記出水口が前記吐水孔及び前記四方向部材と連通し、
前記吐水孔が傾斜して設置されている
ことを特徴とする請求項１に記載の全浄化洗浄装置。
【請求項３】
前記オゾン発生装置はオゾン発生器、エアポンプ及び高圧発生器を含み、
前記オゾン発生器及びエアポンプがエアパイプを介して連通し、
前記高圧発生器が前記オゾン発生器に電気的に接続され、
前記高圧発生器及びエアポンプがいずれも２２０Ｖ交流電源に接続され、
前記オゾン発生器が逆止め弁を介して前記水容器と連通している
ことを特徴とする請求項１に記載の全浄化洗浄装置。
【請求項４】
前記水容器は開口箇所に上面カバーが配置されており、
前記紫外線発生装置は前記上面カバーにおける、前記水容器の内部に対向する一面に設置されている
ことを特徴とする請求項１に記載の全浄化洗浄装置。
【請求項５】
前記紫外線装置として紫外線ランプが用いられている
ことを特徴とする請求項１又は４に記載の全浄化洗浄装置。
【請求項６】
前記超音波発生装置は、継電器と、超音波変換器駆動ユニットと、前記水容器の外壁に設置される複数の超音波変換器とを含み、
前記継電器及び超音波変換器がいずれも前記超音波変換器駆動ユニットに電気的に接続されている
ことを特徴とする請求項１に記載の全浄化洗浄装置。
【請求項７】
更に活性炭が設置されていることを特徴とする請求項１に記載の全浄化洗浄装置。
【考案の詳細な説明】
【技術分野】
【０００１】
本考案は、洗浄装置に関し、具体的には様々な浄化機能を有する全浄化洗浄装置に関する。
【背景技術】
【０００２】
市販されている浄化装置は機能が単一のものしかなく、１つの装置を用いることで多方面且つ全方位の洗浄浄化効果を実現することができない上、単一の浄化方式によって多様性毒素を洗浄し解决することもできない。しかし、浄化効果を向上させるために、複数の専用浄化装置を用いることが必要であり、購入コスト及び浄化時間が増加することはいうまでもない。
【考案の概要】
【考案が解決しようとする課題】
【０００３】
従来の技術の不足に対して、本考案は、複数の独立した浄化機能装置によって洗浄待ちの物品の全部の浄化を一回にまとめて行うことができ、複数の装置を用いて数回に分けて洗浄し浄化することで、時間がかかりコストが高いという問題を回避できる全浄化洗浄装置を提供する。
【課題を解決するための手段】
【０００４】
上記目的を実現するために、本実用新案は以下のような技術的解決手段を採用する。
【０００５】
水容器を含み、更にスプレー装置、オゾン発生装置、紫外線装置及び超音波発生装置中の少なくとも２つを含み、前記スプレー装置とオゾン発生装置がいずれも前記水容器と連通し、前記紫外線装置が前記水容器の内部に対向し、前記超音波発生装置が前記水容器の外壁に設置されている全浄化洗浄装置である。
【０００６】
スプレー装置、オゾン発生装置、紫外線装置及び超音波発生装置がいずれも独立して設置されるものであり、ユーザが洗浄する物品の性質によって装置の数種又は全部を選択して同時又は非同時に洗浄し浄化することができる。前記全浄化洗浄装置によって、同時に多種の方式の浄化を実現できるだけでなく、専用の浄化装置を購入する必要がないためコストも低い。
【０００７】
好ましくは、前記スプレー装置はスプレーヘッドと水循環アセンブリを含み、前記水循環アセンブリが主に４つの通路を有する四方向部材と加圧水ポンプから構成され、前記四方向部材が前記４つの通路を介してそれぞれ前記加圧水ポンプの入力端、出力端、給水管及び排水管と連通し、前記水循環アセンブリが前記水容器の外底部に設置され、前記スプレーヘッドが前記水容器の内底部に設置され、前記スプレーヘッドの表面の中央部に複数の出水口が設置され、前記出水口の周縁に複数の吐水孔が設置され、前記出水口が前記吐水孔及び前記四方向部材と連通し、前記吐水孔が傾斜して配置されている。
【０００８】
該設計のスプレー装置によって水容器内に渦巻きを形成して洗浄待ちの物品を水容器中で転げ回らせることを実現でき、より望ましい洗浄目的を達成することを説明する必要がある。具体的な作動原理は、給水管が水源と連通するようになり、水が順に給水管及び四方向部材を通過してスプレーヘッドの出水口から水容器中に注入され、水容器中の水が前記排水管から排出することを禁止し、水容器内での貯水が完了後、加圧水ポンプを起動し、前記加圧水ポンプが水容器から水を吸い出し且つ加圧した後スプレーヘッドの吐水孔から吐出し、吐水孔が傾斜して配置されているので、スプレーヘッドの頂部の周縁に所定の数量の吐水孔を設置することで渦巻き式の水流を形成可能であり、更に洗浄したり転げ回らせる目的を達成し、最適な清浄効果を図ることである。
【０００９】
好ましくは、前記オゾン発生装置はオゾン発生器、エアポンプ及び高圧発生器を含み、前記オゾン発生器及びエアポンプがエアパイプを介して連通し、前記高圧発生器が前記オゾン発生器に電気的に接続され、前記高圧発生器及びエアポンプがいずれも２２０Ｖ交流電源に接続され、前記オゾン発生器が逆止め弁を介して前記水容器と連通している。
【００１０】
電源を入れて起動した後、エアポンプが前記オゾン発生器内へ空気をポンプ輸送し、前記高圧発生器の作用下で、オゾン発生器内の空気が高圧電離を発生してオゾンを生成して、生成したオゾンが水容器内に入って水に溶けて毒素分解及び鮮度保持の作用を達成する。
【００１１】
好ましくは、前記水容器は開口箇所に上面カバーが配置されており、前記紫外線発生装置は前記上面カバーにおける、前記水容器の内部に対向する一面に設置されている。紫外線による消毒殺菌を行う必要がある場合に、上面カバーをかけて前記紫外線発生装置を起動すれば水容器内へ紫外線を照射することができる。
【００１２】
更に、好ましくは、前記紫外線装置として紫外線ランプが用いられている。
【００１３】
好ましくは、前記超音波発生装置は、継電器と、超音波変換器駆動ユニットと、前記水容器の外壁に設置される複数の超音波変換器とを含み、前記継電器及び超音波変換器がいずれも前記超音波変換器駆動ユニットに電気的に接続されている。
【００１４】
前記超音波発生装置を起動した後、継電器が前記超音波変換器駆動ユニットに給電し、前記超音波変換器駆動ユニットが前記超音波変換器を駆動して縦波を生成させて水中で伝送させて水分子に対して壁破壊作用を果たさせ、それによってオゾンが充分に毒素に接触して強酸化分解を行うことを説明する必要がある。
【００１５】
好ましくは、更に活性炭が設置されている。
【考案の効果】
【００１６】
本実用新案の有用な効果は、複数の独立した浄化機能装置を集積化し、洗浄待ちの物品の全部の浄化を一回にまとめて行うことを実現することができ、多種の方式の浄化を行うために複数の装置を用いて数回に分けて洗浄し浄化することで時間がかかりコストが高く洗浄効果がよくないという問題を回避することである。
【図面の簡単な説明】
【００１７】
【図１】本考案の構成模式図である。
【図２】図１におけるスプレー装置の全体構造模式図である。
【図３】図２における四方向部材とスプレーヘッドを分離した構造模式図である。
【図４】図２及び図３におけるスプレーヘッドの断面模式図である。
【図５】図１におけるオゾン発生装置の接続模式図である。
【図６】図１における紫外線ランプ回路の模式図である。
【図７】図１における超音波発生装置の接続模式図である。
【考案を実施するための形態】
【００１８】
以下、図面を参照しながら技術的解決手段を前提として、より詳しい実施形態及び具体的な操作過程を提供する。しかし、本考案の保護範囲は本実施形態に限定されるものではない。
【００１９】
図１に示すように、全浄化洗浄装置は、水容器１を含み、更にスプレー装置２、オゾン発生装置３、紫外線装置４及び超音波発生装置５中の少なくとも２つを含み、前記スプレー装置２及びオゾン発生装置３がいずれも前記水容器１と連通し、前記紫外線装置４が前記水容器１の内部に対向し、前記超音波発生装置５が前記水容器１の外壁に設置されている。
【００２０】
スプレー装置、オゾン発生装置、紫外線装置及び超音波発生装置がいずれも独立して設置されるものであり、ユーザが洗浄する物品の性質によって装置の数種又は全部を選択して同時又は非同時に洗浄し浄化することができる。前記全浄化洗浄装置によって、同時に多種の方式の浄化を行うことができる。そのため、専用の浄化装置を購入する必要がなく、コストも低い。
【００２１】
好ましくは、図２−４に示すように、前記スプレー装置２はスプレーヘッド２１と水循環アセンブリ２２を含み、前記水循環アセンブリ２２が主に４つの通路を有する四方向部材２２１及び加圧水ポンプ（未図示）から構成され、前記四方向部材２２１が前記４つの通路を介してそれぞれ前記加圧水ポンプの入力端、出力端、給水管及び排水管と連通し、前記水循環アセンブリ２２が前記水容器１の外底部に設置され、前記スプレーヘッド２１が前記水容器１の内底部に設置され、前記スプレーヘッド２１の表面の中央部に複数の出水口２１１が設置され、前記出水口２１１の周縁に複数の吐水孔２１２が設置され、前記出水口２１１が前記吐水孔２１２及び前記四方向部材２２１と連通している。図４に示すように、前記吐水孔が傾斜して設置されており、傾斜角度が３０−４５°である。
【００２２】
該設計のスプレー装置によって水容器内に渦巻きを形成して洗浄待ちの物品を水容器中で転げ回らせることを実現でき、より望ましい洗浄目的を達成する。具体的な作動原理は、給水管が水源と連通するようになり、水が順に給水管及び四方向部材を通過してスプレーヘッドの出水口から水容器中に注入され、水容器中の水が前記排水管から排出することを禁止し、水容器内での貯水が完了後、加圧水ポンプを起動し、前記加圧水ポンプが水容器から水を吸い出し且つ加圧した後スプレーヘッドの吐水孔から吐出し、吐水孔が傾斜して設置されているので、スプレーヘッドの頂部の周縁に所定の数量の吐水孔を設置することで渦巻き式の水流を形成可能であり、更に洗浄したり転げ回らせる目的を達成し、最適な清浄効果を図ることである。
【００２３】
好ましくは、図５に示すように、前記オゾン発生装置３は、オゾン発生器３１、エアポンプ３２及び高圧発生器３３を含み、前記オゾン発生器３１及びエアポンプ３２がエアパイプ３４を介して連通し、前記高圧発生器３３が高圧線３６を介して前記オゾン発生器３１に電気的に接続され、前記高圧発生器３３及びエアポンプ３２がいずれも２２０Ｖ交流電源に接続され、前記オゾン発生器３１が逆止め弁３５を介して前記水容器１と連通している。
【００２４】
電源を入れて起動した後、エアポンプが前記オゾン発生器内へ空気をポンプ輸送し、前記高圧発生器の作用下で、オゾン発生器内の空気が高圧電離を発生してオゾンを生成して、生成したオゾンが水容器内に入って水に溶けて毒素分解及び鮮度保持の作用を達成する。
【００２５】
好ましくは、前記水容器は開口箇所に上面カバーが配置されており、前記紫外線発生装置が前記上面カバーにおける、前記水容器の内部に対向する一面に設置されている。紫外線による消毒殺菌を行う必要がある場合に、上面カバーをかけて前記紫外線発生装置を起動すれば水容器内へ紫外線を照射することができる。前記紫外線ランプの回路構造は図６に示すとおりである。
【００２６】
更に、好ましくは、前記紫外線装置４として紫外線ランプが用いられている。
【００２７】
好ましくは、図７に示すように、前記超音波発生装置５は、継電器５１と、超音波変換器駆動ユニット５２と、前記水容器１の外壁に設置される複数の超音波変換器５３とを含み、前記継電器５１及び超音波変換器５３がいずれも前記超音波変換器駆動ユニット５２に電気的に接続されている。前記超音波変換器駆動ユニット５２は主に電力増幅ユニット５２１、フィルタリングユニット５２２、マッチングユニット５２３及びサンプリングユニット５２４を含み、順に電力増幅、フィルタリング、マッチング及びサンプリングを行って駆動信号を生成する。
【００２８】
前記超音波発生装置を起動した後、継電器が前記超音波変換器駆動ユニットに給電し、前記超音波変換器駆動ユニットが前記超音波変換器を駆動して縦波を生成させて水中で伝送させて水分子に対して壁破壊作用を果たさせ、それによってオゾンが充分に毒素に接触して強酸化分解を行う。
【００２９】
好ましくは、更に活性炭が設置されている。
【００３０】
当業者にとって、以上の技術的解決手段及び実施形態に基づいて様々な変更及び変形を行うことができる。これらの変更及び変形は全部本実用新案登録請求の範囲に含まれるべきである。
【図１】
0003209137.tif 000003
【図２】
0003209137.tif 000004
【図３】
0003209137.tif 000005
【図４】
0003209137.tif 000006
【図５】
0003209137.tif 000007
【図６】
0003209137.tif 000008
【図７】
0003209137.tif 000009
【手続補正書】
【提出日】平成28年12月22日(2016.12.22)
【手続補正１】
【補正対象書類名】実用新案登録請求の範囲
【補正対象項目名】全文
【補正方法】変更
【補正の内容】
【実用新案登録請求の範囲】
【請求項１】
水容器を含む全浄化洗浄装置であって、
更にスプレー装置、オゾン発生装置、紫外線装置及び超音波発生装置中の少なくとも２つを含み、
前記スプレー装置及びオゾン発生装置がいずれも前記水容器と連通し、
前記紫外線装置が前記水容器の内部に対向し、
前記超音波発生装置が前記水容器の外壁に設置される
ことを特徴とする全浄化洗浄装置。
【請求項２】
前記スプレー装置はスプレーヘッドと水循環アセンブリを含み、
前記水循環アセンブリが主に４つの通路を有する四方向部材及び加圧水ポンプから構成され、
前記四方向部材が前記４つの通路を介してそれぞれ前記加圧水ポンプの入力端、出力端、給水管及び排水管と連通し、
前記水循環アセンブリが前記水容器の外底部に設置され、
前記スプレーヘッドが前記水容器の内底部に設置され、
前記スプレーヘッドの表面の中央部に複数の出水口が設置され、
前記出水口の周縁に複数の吐水孔が設置され、前記出水口が前記吐水孔及び前記四方向部材と連通し、
前記吐水孔が傾斜して設置されている
ことを特徴とする請求項１に記載の全浄化洗浄装置。
【請求項３】
前記オゾン発生装置はオゾン発生器、エアポンプ及び高圧発生器を含み、
前記オゾン発生器及びエアポンプがエアパイプを介して連通し、
前記高圧発生器が前記オゾン発生器に電気的に接続され、
前記高圧発生器及びエアポンプがいずれも２２０Ｖ交流電源に接続され、
前記オゾン発生器が逆止め弁を介して前記水容器と連通している
ことを特徴とする請求項１に記載の全浄化洗浄装置。
【請求項４】
前記水容器は開口箇所に上面カバーが配置されており、
前記紫外線装置は前記上面カバーにおける、前記水容器の内部に対向する一面に設置されている
ことを特徴とする請求項１に記載の全浄化洗浄装置。
【請求項５】
前記紫外線装置として紫外線ランプが用いられている
ことを特徴とする請求項１又は４に記載の全浄化洗浄装置。
【請求項６】
前記超音波発生装置は、継電器と、超音波変換器駆動ユニットと、前記水容器の外壁に設置される複数の超音波変換器とを含み、
前記継電器及び超音波変換器がいずれも前記超音波変換器駆動ユニットに電気的に接続されている
ことを特徴とする請求項１に記載の全浄化洗浄装置。
【手続補正２】
【補正対象書類名】明細書
【補正対象項目名】００１１
【補正方法】変更
【補正の内容】
【００１１】
好ましくは、前記水容器は開口箇所に上面カバーが配置されており、前記紫外線装置は前記上面カバーにおける、前記水容器の内部に対向する一面に設置されている。紫外線による消毒殺菌を行う必要がある場合に、上面カバーをかけて前記紫外線装置を起動すれば水容器内へ紫外線を照射することができる。
【手続補正３】
【補正対象書類名】明細書
【補正対象項目名】００２５
【補正方法】変更
【補正の内容】
【００２５】
好ましくは、前記水容器は開口箇所に上面カバーが配置されており、前記紫外線装置が前記上面カバーにおける、前記水容器の内部に対向する一面に設置されている。紫外線による消毒殺菌を行う必要がある場合に、上面カバーをかけて前記紫外線装置を起動すれば水容器内へ紫外線を照射することができる。前記紫外線ランプの回路構造は図６に示すとおりである。